(57)【特許請求の範囲】
【請求項１】
錠本体１にロータ２を回転可能に収容し、錠本体１に形成した半径方向のピン受孔３と、ロータ２に形成した半径方向のピン受孔４に従動ピン５と駆動ピン６を収容し、錠本体１側のピン受孔３に収容した圧縮コイルバネ７によって、従動ピン５の先端部がロータ２の軸方向の鍵孔８に突出するように駆動ピン６と従動ピン５を移動付勢し、従動ピン５の先端部に摺接する鍵山９ａを有する正規の鍵９を鍵孔８に差込んだとき、従動ピン５と駆動ピン６の当接点が錠本体１とロータ２の当接面に移動して、錠本体１に対するロータ２の回転拘束が解除され、鍵９によってロータ２を解錠位置へと回転させることができるシリンダー錠装置において、
鍵孔８の内端部を直径方向に横断する防護用ピン受孔１０をロータ２に形成し、鍵９の抜差し位置において防護用ピン受孔１０に対面する半径方向の錠止孔１１を錠本体１に形成し、防護用ピン受孔１０に収容した防護用ピン１２を圧縮コイルバネ１３によって錠止孔１１に向かって移動付勢し、防護用ピン１２の周面にその中心軸線に対して母線が傾斜しているテーパー状のカム溝１４を形成し、鍵９の先端部に該カム溝１４に入り込む操作突起１５を形成し、操作突起１５にカム溝１４の傾斜内壁面１４ａに摺接するカム斜面１５ａを形成し、鍵抜差し位置において防護用ピン１２の先端部を錠止孔１１に係合させたことを特徴とするシリンダー錠装置。
【発明の詳細な説明】
【０００１】
【発明の属する技術分野】
本発明は、ピッキング対策において強化されたピンタンブラ方式のシリンダー錠装置に関するものである。
【０００２】
【従来の技術】
錠本体にロータを回転可能に収容し、錠本体に形成した半径方向のピン受孔とロータに形成した半径方向のピン受孔に従動ピンと駆動ピンを収容し、錠本体側のピン受孔に収容した圧縮コイルバネによって、従動ピンの先端部がロータに形成した軸方向の鍵孔に突出するように駆動ピンと従動ピンを移動付勢し、従動ピンの先端部に摺接する鍵山を有する所定の鍵を鍵孔に差込んだとき、従動ピンと駆動ピンの当接点が錠本体とロータの当接面に移動して、錠本体に対するロータの回転拘束が解除され、鍵によってロータを解錠位置へと回転させることができる錠装置は、ピンタンブラ方式のシリンダー錠装置として広く一般に使用されている。
【０００３】
このような構造のシリンダー錠装置については近年、ピッキングという不正解錠の被害が続出している。このピッキング操作は、鉤状の第１のピッキング用具を鍵孔の前端部に引っ掛けてロータに一方向の回転モーメントを付与しながら、特殊形状の金属帯板や線材からなる第２のピッキング用具を鍵孔に挿入し、この第２のピッキング用具を鍵孔に沿って数回押し引きする過程において、従動ピンの先端部を引っ掻いて所要量押し上げ、従動ピンと駆動ピンの当接点をロータと錠本体の当接面に移動させるものである。
このようなピッキング対策として、これまでも種々の提案がなされているが、ピッキング防止機構が複雑であるために製作加工のコストが割高となってしまうなど、ピッキング防止機能とそれに要するコストとの釣合いの点において十分実用に耐えるものが少ないのが現状である。
【０００４】
【発明が解決しようとする課題】
したがって本発明の目的は、必要十分なピッキング防止機能を備えるとともに、ピッキング防止機構が簡略化されているため製作加工のコストが節減でき、実用性に優れたシリンダー錠装置を提供することである。
【０００５】
【課題を解決するための手段】
本発明のシリンダー錠装置の特徴とするところは、錠本体１にロータ２を回転可能に収容し、錠本体１に形成した半径方向のピン受孔３とロータ２に形成した半径方向のピン受孔４に従動ピン５と駆動ピン６を収容し、錠本体１側のピン受孔３に収容した圧縮コイルバネ７によって、従動ピン５の先端部がロータ２の軸方向の鍵孔８に突出するように駆動ピン６と従動ピン５を移動付勢し、従動ピン５の先端部に摺接する鍵山９ａを有する正規の鍵９を鍵孔８に差込んだとき、従動ピン５と駆動ピン６の当接点が錠本体１とロータ２の当接面に移動して、錠本体１に対するロータ２の回転拘束が解除され、鍵９によってロータ２を解錠位置へと回転させることができるシリンダー錠装置において、
鍵孔８の内端部を直径方向に横断する防護用ピン受孔１０をロータ２に形成し、鍵９の抜差し位置において防護用ピン受孔１０に対面する半径方向の錠止孔１１を錠本体１に形成し、防護用ピン受孔１０に収容した防護用ピン１２を圧縮コイルバネ１３によって錠止孔１１に向かって移動付勢し、防護用ピン１２の周面にその中心軸線に対して母線が傾斜しているテーパー状のカム溝１４を形成し、鍵９の先端部に該カム溝１４に入り込む操作突起１５を形成し、操作突起１５にカム溝１４の傾斜内壁面１４ａに摺接するカム斜面１５ａを形成し、鍵抜差し位置において防護用ピン１２の先端部を錠止孔１１に係合させたことである。
【０００６】
【発明の作用】
錠本体１は、機器収納ボックスなどの扉に嵌め込み固着され、ロータの先端部には、ボックス本体側の受金部と係脱する止め金板が連結される。正規の鍵９をロータ２の鍵孔８に差込むと、キーコード部としての鍵山９ａが従動ピン５の先端部に摺接し、鍵山９ａの深さに対応して従動ピン５と駆動ピン６が圧縮コイルバネ７の付勢に抗して遠心方向に移動させられ、従動ピン５と駆動ピン６の当接点が錠本体１の内周面とロータ２の外周面との当接面に移動する。その結果、駆動ピン６によるロータ２の錠本体１に対する回転拘束が解除される。
【０００７】
また、前記鍵９の差込み終端において、鍵９の操作突起１５が防護用ピン１２のカム溝１４に入り込み、操作突起１５のカム斜面１５ａがカム溝１４の傾斜内壁面１４ａに摺接してこれを押すため、圧縮コイルバネ１３の付勢に抗して防護用ピン１２が後退移動し、防護用ピン１２の先端部が錠本体１の錠止孔１１から離脱して、防護用ピン１２の全体がロータ２内に没入する。これによって、防護用ピン１２によるロータ２の錠本体１に対する回転拘束も解除される。
かくして、鍵９によってロータ２を解錠位置へと回転させることができ、ロータ２の先端部の止め金板がボックス本体側の受金部から離脱して、ボックス本体に対する扉の錠止が解除される。
【０００８】
不正解錠を企図する者が、第１の鉤状ピッキング用具（図示していない）で解錠方向に回転モーメントを与えた状態において、第２の帯板状ピッキング用具１６を鍵孔８に挿入し、押し引き操作するピッキング用具１３の先端部で従動ピン５の先端部を引っ掻き、従動ピン５と駆動ピン６の当接点をロータ２と錠本体１の当接面に移動させることに成功しても、ロータ２側に収容した防護用ピン１２の先端部が依然として錠本体側の錠止孔１１に係合しているため、ロータ２を解錠方向に回転させることができない。
不正解錠を企図する者は、鍵孔８の最も奥に配置された防護用ピン１２の存在と、その駆動方法を知らないのであるから、ピッキングは結果的に不成功となる。
【０００９】
【発明の実施の形態】
図示の実施例では、図１に示したように鍵孔８の長さ方向軸線が鉛直に配置された状態が、鍵抜差し位置に当たる。この状態では、錠本体側のピン受孔３とロータ側のピン受孔４と鍵孔８は同一直線上に整列しており、鍵９を抜き取ったときには、圧縮コイルバネ７に押された駆動ピン６は、その先端部が錠本体側のピン受孔３から突出してロータ側のピン受孔４に係合する。これによってロータ２は錠本体１に対して回転を拘束され、ロータ２の先端部に連結される止め金板１９は、ボックス本体側の受金部（図示していない）に係合した施錠位置にある。
錠本体側のピン受孔３とロータ側のピン受孔４は、それぞれの軸方向に沿って並列に複数個形成され、従動ピン５と駆動ピン６よりなる複数個のピンタンブラセットがそれぞれに組み込まれる。
錠本体側のピン受孔３の外側端部には、バネ押え板１７が嵌め込み固着されている。従動ピン５の先端部は主体部分よりも小径に形成され、ピン受孔４の内側端部には、従動ピン５の大径主体部分と小径先端部との間の段差肩面が当接する位置決め突起１８が形成されている。
防護用ピン１２の基端部にはバネ収容孔１８が形成され、圧縮コイルバネ１３の主体部分がこれに収容されている。
【００１０】
【発明の効果】
本発明のシリンダー錠装置では、鍵孔８の内端部を横断する防護用ピン受孔１０をロータ２に形成し、鍵９の抜差し位置において防護用ピン受孔１０に対面する錠止孔１１を錠本体１に形成し、防護用ピン１２を圧縮コイルバネ１３によって錠止孔１１に向かって移動付勢し、防護用ピン１２の周面にテーパー状のカム溝１４を形成し、鍵９の先端部の操作突起１５にカム溝１４の傾斜内壁面１４ａに摺接するカム斜面１５ａを形成し、鍵抜差し位置において防護用ピン１２の先端部を錠止孔１１に係合させたので、操作突起１５のない従来のピッキング用具１６とその使用方法によっては、不正解錠はほとんど不可能であるか非常に困難であり、仮に成功するにしても相当の長い時間を要するため、盗犯者は犯行を第三者に発見される危険性を敢えて冒すことになり、実用に耐え得る防犯性能を有すものである。
【００１１】
また。このピッキング防止機構は、ロータ２に形成した防護用ピン孔１０と、錠本体１に形成した錠止孔１１と、テーパー状カム溝１４を有する防護用ピン１２と、防護用ピン１２を付勢する圧縮コイルバネ１２とで構成された簡略構造のものであり、この製作加工と組み込みは簡単かつコスト安く行なえるから、防犯性の高いシリンダー錠装置を安価に提供することができる。
【図面の簡単な説明】
【図１】本発明の一実施例に係るシリンダー錠装置の正面図であり、ロータが錠本体に対して回転拘束された施錠状態を示している。
【図２】図１のシリンダー錠装置の縦断面図である。
【図３】図１のシリンダー錠装置の縦断面図であり、正規の鍵を挿入してロータの回転拘束を解除した状態を示している。
【図４】図１のシリンダー錠装置に使用される鍵の主体部分の斜視図である。
【符号の説明】
１  錠本体
２  ロータ
３  錠本体側のピン受孔
４  ロータ側のピン受孔
５  従動ピン
６  駆動ピン
７  圧縮コイルバネ
８  鍵孔
９  正規の鍵
１０  防護用ピン収容孔
１１  錠止孔
１２  防護用ピン
１３  圧縮コイルバネ
１４  防護用ピンのカム溝
１５  鍵の操作突起
１６    ピッキング用具
【図１】
0003620460.tif 000002
【図２】
0003620460.tif 000003
【図３】
0003620460.tif 000004
【図４】
0003620460.tif 000005